(57)【要約】【課題】光速に加速した陽子の中の光子はどのようであるか。W＋とZ０とヒッグス粒子はどのような光子であるか。E=mc2は何を意味するか。【解決手段】特性X線のK系α１，２は150です。この事は陽子の中の光子も束に成ってまとまって回転している。光速に加速した陽子の中の光子も束に成ってまとまって回転している。核磁子は4.34×104公転分の磁気の光子が1束に成っている。それで、陽子の中の光子も4.34×104公転分の磁気の光子が1束に成っているとする。又K公転分の光子が束に成っているとする。その場合、W＋とZ０とヒッグス粒子はどのような光子であったかを理解する。電子のラブと陽子のラブは走って、自分のエネルギーの光速2分の1のエネルギーの光子を作る。これが電子や陽子のE=mc2に成る理由です。【特許請求の範囲】
【請求項１】
陽子のラブが1公転で作る光子が束に成っている場合、どのように回転しているか。
・W＋は、1.2881×10−8Jで、陽子のラブが1公転で作る光子が、6.691×102個束に成っている場合。
陽子のラブが1公転で作る電気の光子の軌道は、陽子のラブの公転軌道です。
陽子のラブの公転軌道＝8.665×10−24Jm÷(陽子のラブのエネルギー×9×1016)＝8.665×10−24Jm÷(1.5033×10−10J×9×1016)＝8.665×10−24Jm÷(1.353×107J)＝6.404×10−31m。
陽子のラブの公転軌道は6.404×10−31mです。それで、電気の光子の軌道は、6.404×10−31mです。
電気の光子1個のエネルギーは、光子の軌道エネルギー÷光子の軌道＝1.233×10−41Jm÷(6.404×10−31m)＝1.925×10−11J、です。
W＋のエネルギー÷電気の光子1個のエネルギー＝1.288×10−8J÷(1.925×10−11J)＝6.691×102個
それで、電気の光子6.691×102個が束に成っている。
束の電気の光子の回転軌道は、6.404×10−31mです。
W＋は1.925×10−11J の電気の光子が6.691×102個で1束に成り、6.404×10−31mの輪で回転している。
・Z0は、1.461×10−8Jで、陽子のラブが1公転で作る光子が、7.590×102個束に成っている場合。
束の電気の光子の回転軌道は、6.404×10−31mです。
Z0は1.925×10−11J の光子が7.590×102個で1束に成り、6.404×10−31mの輪で回転している。
・ヒッグス粒子は、2.0075×10−8Jで、陽子のラブが1公転で作る光子が、1.043×103個束に成っている場合。
束の電気の光子の回転軌道は、6.404×10−31mです。
ヒッグス粒子は1.925×10−11J の光子が1.043×103個で１束に成り、6.404×10−31mの輪で回転している。
【請求項２】
どうして、陽子の中の光子は複数個束に成っている事が理解できるか。
特性X線は、電子がL殻からK殻に移動するとき、電子の外側の光子を脱ぎ捨てて、高エネルギーのK殻の軌道に移動する。
K殻には特性X線として脱ぎ捨てたエネルギーの場が無いからです。
脱ぎ捨てられた特性X線の数は、K系のα１は100個、α2は50個で、α1，2は150個です。
この事は、電子の外側の光子は束に成って回転していた事を示す。
この事から、陽子の中の光子も束に成って回転している事が理解できる。
よって、陽子の中の光子は複数個束に成って回転している。
陽子のラブは自転しながら公転しているので、できる光子は電磁気(電気の光子と磁気の光子)として存在している。
磁気の光子が互いに引き合い、束を作っている。
【請求項３】
もし4.34×104公転でできる4.34×104個の光子が1束に成って、グルーオンのW＋とZ0、ヒッグス粒子に成っているとすると、どのように回転しているか。
W＋の場合。
1個の電気の光子のエネルギー＝W＋のエネルギー÷(4.34×104個)＝1.288×10−8J÷(4.34×104個)＝2.968×10−13J
1個の電気の光子の軌道＝光子の軌道エネルギー÷光子のエネルギー＝1.233×10−41Jm÷(2.968×10−13J)＝4.154×10−29m
よって、W＋は2.968×10−13Jの電気の光子が4.34×104個束に成って4.154×10−29mの輪で回転している。
Z0の場合。
1個の電気の光子のエネルギー＝Z0のエネルギー÷(4.34×104個)＝1.461×10−8J÷(4.34×104個)＝3.366×10−13J
1個の電気の光子の軌道＝光子の軌道エネルギー÷光子のエネルギー＝1.233×10−41Jm÷(3.366×10−13J)＝3.663×10−29m
よって、Z0は3.366×10−13Jの電気の光子が4.34×104個束に成って3.663×10−29mの輪で回転している。
ヒッグス粒子の場合。
1個の電気の光子のエネルギー＝ヒッグス粒子のエネルギー÷(4.34×104個)＝2.0075×10−8J÷(4.34×104個)＝4.626×10−13J
1個の電気の光子の軌道＝光子の軌道エネルギー÷光子のエネルギー＝1.233×10−41Jm÷(4.626×10−13J)＝2.665×10−29m
よって、ヒッグス粒子は4.626×10−13Jの電気の光子が4.34×104個束に成って2.665×10−29mの輪で回転している。
【請求項４】
どうして、4.34×104回の公転でできる光子が1束に成って、グルーオンのW＋とZ0、ヒッグス粒子に成っていると考えるか。
核磁子は、5.0508×10−27J/Tです。これは、陽子のラブが1公転で作った磁気の光子が4.34×104公転分束に成っている。
それで、1公転でできる磁気の光子のエネルギーは、5.0508×10−27J/T÷(4.34×104公転)＝1.16378×10−31J
この光子の軌道は、1.233×10−41Jm÷(1.16378×10−31J)＝1.0595×10−10m、です。
核磁子は、陽子のラブが作った電気の光子(磁気の光子)が1836倍に拡大したものです。
それで、光速に加速した陽子が爆発した時、外に出る光子は4.34×104個束に成っていると考える。
【請求項５】
もしK回の公転でできる光子が1束に成って、グルーオンのW＋とZ0、ヒッグス粒子に成っているとすると、どのように回転しているか。
W＋の場合。
1個の電気の光子のエネルギー＝W＋のエネルギー÷K＝1.288×10−8J÷K
1個の電気の光子の軌道＝光子の軌道エネルギー÷光子のエネルギー＝1.233×10−41Jm÷(1.288×10−8J÷K)＝9.573×10−34m×K
よって、W＋は1.288×10−8÷KJの電気の光子がK個束に成って9.573×10−34m×Kの輪で回転している。
Z0の場合。
1個の電気の光子のエネルギー＝Z0のエネルギー÷K＝1.461×10−8J÷K
1個の電気の光子の軌道＝光子の軌道エネルギー÷光子のエネルギー＝1.233×10−41Jm÷(1.461×10−8J÷K)＝8.439×10−34m×K
よって、Z0は1.461×10−8÷KJの電気の光子がK個束に成って8.439×10−34m×Kの輪で回転している。
ヒッグス粒子の場合。
1個の磁気の光子のエネルギー＝ヒッグス粒子のエネルギー÷K＝2.0075×10−8J÷K 
1個の磁気の光子の軌道＝光子の軌道エネルギー÷光子のエネルギー＝1.233×10−41Jm÷(2.0075×10−8J÷K)＝6.1420×10−34m×K
よって、ヒッグス粒子は2.0075×10−8÷KJの光子がK個束に成って6.1420×10−34m×Kの輪で回転している。
【請求項６】
もし、BJの光子がW＋やZ0やヒッグス粒子に成っているとすると、光子の軌道と束の数はいくらか。
W＋の場合。
束の数＝W＋のエネルギー÷BJ＝1.2881×10−8J÷BJ
光子の軌道＝1.233×10−41Jm÷BJ
Z0の場合。
束の数＝Z0のエネルギー÷BJ＝1.4610×10−8J÷BJ
光子の軌道＝1.233×10−41Jm÷BJ
ヒッグス粒子の場合。
束の数＝ヒッグス粒子のエネルギー÷BJ＝2.0075×10−8J÷BJ
光子の軌道＝1.233×10−41Jm÷BJ
もし、BJの光子がW＋やZ0やヒッグス粒子に成っているとすると、光子の軌道は1.233×10−41Jm÷BJで、束の数は粒子のエネルギー÷BJ、です。
この事を表に示す。
表３
2014039360.tif 000004
【請求項７】
軌道について。
軌道とは、回転する円周の直径の事です。
電子のラブは電子のラブが持っているエネルギーに従って軌道を回転する。1秒間に(7.96×107)2回公転する。
回転方向はランダムです。電子のラブの軌道＝8.665×10−24Jm÷電子のラブのエネルギー、です。
陽子のラブは陽子のラブが持っているエネルギーに従って軌道を回転する。1秒間に4.34×104×7.96×107回公転する。
回転方向はランダムです。陽子のラブの軌道＝8.665×10−24Jm÷陽子のラブのエネルギー、です。
光子は、電子の中で回転している。光子は、陽子の中で回転している。
光子が持っているエネルギーに従って軌道を回転する。回転方向はランダムです。
光子の軌道＝1.233×10−41Jm÷光子のエネルギー、です。
電子の中で回転している光子は、電子のラブの自転と公転によりできた物ですから、電子のラブの公転軌道より大きいです。
陽子の中で回転している光子は、陽子のラブの自転と公転によりできた物ですから、陽子のラブの公転軌道より大きいです。
【請求項８】
電子のラブと陽子のラブの公転軌道エネルギーは、光子の軌道エネルギーの何倍か。
電子のラブと陽子のラブの公転軌道エネルギー÷光子の軌道エネルギー＝8.665×10−24Jm÷(1.233×10−41Jm)＝5.393×1016
電子のラブと陽子のラブの公転軌道エネルギーは、光子の軌道エネルギーの5.393×1016倍です。
【請求項９】
電子のラブと陽子のラブの公転軌道エネルギーは、光子の軌道エネルギーの5.393×1016倍である事は何を意味しているか。
光子の軌道エネルギーの5.393×1016倍が電子のラブと陽子のラブの公転軌道エネルギーです。
同じ軌道である場合、電子のラブと陽子のラブのエネルギーは光子のエネルギーの5.393×1016倍です。
同じ軌道である場合、光子のエネルギーは電子のラブと陽子のラブのエネルギーの5.393×1016分の1です。
電子のラブと陽子のラブのエネルギーは5.393×1016個分の光子のエネルギーです。
電子のラブと陽子のラブのエネルギーは5.393×1016個の光子でできています。
これは、約1秒間にできる光子の数です。(7.96×107)2＝6.336×1015個です。
これは、光速2の値です。光速2＝9×1016
電子のラブと陽子のラブのエネルギーは、約1秒間でできる光子でできている。
【請求項１０】
同じ軌道である場合、電子のラブと陽子のラブのエネルギーは光子のエネルギーの5.393×1016倍で、これは、光速2の値です。この事は何を意味するか。
電子のラブと陽子のラブは走って、自分のエネルギーの光速2分の1のエネルギーの光子を作る。
これが、電子や陽子のE=mc2に成る理由です。
【請求項１１】
電子のラブと陽子のラブのエネルギーは、1秒間でできる光子でできている場合、1個の光子のエネルギーはいくらで、光子の軌道はいくらか。
電子の場合．
1個の光子のエネルギーは、電子のラブのエネルギー÷1秒間でできる光子数＝8.187×10−14J÷(6.336×1015個)＝1.292×10−29J、です。
この光子の軌道は、光子の軌道エネルギー÷光子のエネルギー＝1.233×10−41Jm÷(1.292×10−29J)＝9.543 ×1013m、です。
この光子の軌道は電子のラブの軌道(1.058×10−10m)より小さいので、この考えは違います。
陽子の場合。
1個の光子のエネルギーは、陽子のラブのエネルギー÷1秒間でできる光子数＝1.5×10−10J÷(4.34×104×7.96×107個)＝4.342×10−23J、です。
この光子の軌道は、光子の軌道エネルギー÷光子のエネルギー＝1.233×10−41Jm÷(4.342×10−23J)＝2.840×10−19m、です。
この光子の軌道は陽子のラブの軌道(5.764×10−14m)より小さいので、この考えは違います。
よって、電子のラブと陽子のラブのエネルギーは、1秒間でできる光子でできていない。
【請求項１２】
電子のラブが1公転でできる光子1個のエネルギーが何個で電子のラブのエネルギーに成るか。
電子のラブが1公転で作る光子1個のエネルギー＝光子の軌道エネルギー÷電子のラブの公転軌道＝1.233×10−41Jm÷(1.058×10-10m)  ＝1.165×10-31J
電子のラブのエネルギー÷電子のラブが1公転で作る光子1個のエネルギー＝8.187×10-14J÷(1.165×10-31J)  ＝7.027×1017(個)
電子のラブが1公転でできる光子1個のエネルギーが7.027×1017個で、電子のラブのエネルギーに成る。
・これは1秒間の公転数の何倍か。
7.027×1017個÷(7.96×107)2個＝1.109×102(倍)
これは1秒間の公転数の1.109×102倍です。
よって、電子のラブが1公転でできる光子1個のエネルギーが7.027×1017個で、電子のラブのエネルギーに成り、その数は1秒間にできる光子数の1.109×102倍です。
【請求項１３】
陽子のラブが1公転でできる光子1個のエネルギーが何個で陽子のラブのエネルギーに成るか。
陽子のラブが1公転で作る光子1個のエネルギー＝光子の軌道エネルギー÷陽子のラブの公転軌道＝1.233×10−41Jm÷(5.764×10-14m)  ＝2.139×10-28J
陽子のラブのエネルギー÷陽子のラブが1公転で作る光子1個のエネルギー＝1.5×10-10J÷(2.139×10-28J)  ＝7.013×1015(個)
陽子のラブが1公転でできる光子1個のエネルギーが7.013×1015個で、電子のラブのエネルギーに成る。
・これは1秒間の公転数の何倍か。
7.013×1015個÷(4.34×104×7.96×107個)＝2.030×103(倍)
よって、陽子のラブが1公転でできる光子1個のエネルギーが7.013×1015個で、陽子のラブのエネルギーに成り、その数は1秒間にできる光子数の2.030×103倍です。
この事によって理解できる事。
1．陽子の中で、陽子のラブが光子を作っているので、陽子のラブの公転軌道より小さい軌道の光子は存在しない。
2．陽子のラブの公転軌道より小さい軌道の光子に成る場合は、その光子は束に成っている。
3．よって、グルーオンのW＋とZ0、ヒッグス粒子のエネルギーは大きく、その光子の軌道は、光速に加速された陽子の公転軌道より小さい。この事は、光子は束に成っている事を示す。
(私は、7月19日に提出した、特願2012−160064において、W+の軌道は、9.5722×10−34m、Z0の軌道は、8.4394×10−34m、ヒッグス粒子の軌道は、6.142×10−34mです、と記した。これは誤りです。光速に加速された陽子のラブの公転軌道は6.404×10−31mです。それで、素粒子は光子の束に成っている。)
4．陽子の中の光子の軌道は外側に成る程軌道は大きくなり、エネルギーは少なく成っている。
6．それで、陽子の中の光子の数は7.013×1015個以上です。
7．陽子の中の光子の数は1秒間にできる光子の2.030×103倍以上です。
8．陽子の中の光子は、束に成って存在する。
9．陽子のラブの公転軌道に近い光子ほど、軌道の間隔は小さいので、引力は強く働く。
10．陽子のラブの公転軌道に近い光子ほど、軌道は小さいので、エネルギーは大きく、磁気の光子のエネルギーも大きく、引力は強く働く。
11．それで、陽子のラブの公転軌道に近い光子ほど、１束の光子の数は多く成っている。
12．光速に加速された陽子の中の光子も、陽子のラブの公転軌道に近い光子ほど、１束の光子の数は多く成っている。
【請求項１４】
特性X線は、電子の中に存在した光子(X線が)がどのような状態であったかを示す。
即ち、K系のα1，2は、L殻に存在していた電子の中の光子は150個まとまって存在していた事を示す。
L系のα1は、M殻に存在していた電子の中の光子は100個まとまって存在していた事を示す。
このように、電子の中で、光子は150〜100個束に成って存在する。
この事によって理解できる事。
1．電子の中で、光子は150〜100個束に成って存在するのであるから、その1836倍のエネルギーの場である陽子の中では、光子の束は150〜100個以上である。
2．光速に加速された陽子の中では、150〜100個以上の光子が束に成っている。
W＋のエネルギーは1.2881×10−8Jであり、 1.925×10−11J の光子が6.691×102個束に成っている。
Z0のエネルギーは1.4610×10−8J であり、1.925×10−11J の光子が7.590×102個束に成っている。
ヒッグス粒子のエネルギーは2.0075×10−8Jであり、1.925×10−11J の光子が1.043×103個束に成っている。
3．1束の光子数をK個とする場合。
W＋のエネルギーは1.2881×10−8Jであり、1.288×10−8÷KJの光子がK個で１束に成っている。
Z0のエネルギーは1.4610×10−8J であり、1.461×10−8÷KJの光子がK個で１束に成っている。
ヒッグス粒子のエネルギーは2.0075×10−8Jであり、2.0075×10−8÷KJの光子がK個で１束に成っている。
4．1束の光子数を4.34×104個とする場合。
グルーオンのW＋のエネルギーは1.2881×10−8Jであり、これは、4.34×104個の光子が束に成った物であるとすると、2.968×10−13Jの光子が束に成った物です。
Z0のエネルギーは1.4610×10−8J であり、これは、4.34×104個の光子が束に成った物であるとすると、3.366×10−13Jの光子が束に成った物です。
ヒッグス粒子のエネルギーは2.0075×10−8Jであり、これは、4.34×104個の光子が束に成った物であるとすると、4.626×10−13Jの光子が束に成った物です。
【請求項１５】
束に成っている光子のエネルギーと軌道、及び光子1個のエネルギーと軌道はどのようであるか。
a.1束＝4.34×104個の光子、とする場合。
核磁子の場合。
核磁子は、4.34×104個の光子が束に成っているエネルギーです。
そのエネルギーは、5.0508×10−27J/Tです。この軌道は、1.233×10−41Jm÷(5.0508×10−27J)＝2.441×10−15mです。
核磁子に成っている内の光子1個のエネルギーは、5.0508×10−27J÷(4.34×104個)＝1.1638×10−31J、です。
光子1個の軌道は、1.233×10−41Jm÷(1.1638×10−31J)＝1.059×10−10m、です。
よって、核磁子は1.1638×10−31Jの光子が4.34×104個集まり束に成り、1.059×10−10mの輪を回転している。
W＋の場合。
W＋のエネルギーは、1.288×10−8Jです。この光子の軌道は、1.233×10−41Jm÷(1.288×10−8J)＝9.5722×10−34m、です。
W＋の内の光子1個のエネルギー＝1.288×10−8J÷(4.34×104個)＝2.968×10−13J。
この光子の軌道は、1.233×10−41Jm÷(2.968×10−13J)＝4.154×10−29m。
よって、W＋は2.968×10−13Jの光子が4.34×104個集まり束に成り、4.154×10−29mの輪を回転している。
Z0の場合。
Z0のエネルギーは、1.4610×10−8Jです。この光子の軌道は、1.233×10−41Jm÷(1.4610×10−8J)＝8.4394×10−34m、です。
Z0の内の光子1個のエネルギー＝1.4610×10−8J÷(4.34×104個)＝3.366×10−13J。
この光子の軌道は、1.233×10−41Jm÷(3.366×10−13J)＝3.663×10−29m。
よって、Z0は3.366×10−13Jの光子が4.34×104個集まり束に成り、3.663×10−29mの輪を回転している。
ヒッグス粒子の場合。
ヒッグス粒子のエネルギーは、2.0075×10−8Jです。この光子の軌道は、1.233×10−41Jm÷(2.0075×10−8J)＝6.142×10−34m、です。
ヒッグス粒子の内の光子1個のエネルギー＝2.0075×10−8J÷(4.34×104個)＝4.626×10−13J。
この光子の軌道は、1.233×10−41Jm÷(4.626×10−13J)＝2.665×10−29m。
よって、ヒッグス粒子は4.626×10−13Jの光子が4.34×104個集まり束に成り、2.665×10−29mの輪を回転している。
b.1束＝K個の光子とする場合。
W＋のエネルギーは1.2881×10−8Jであり、1.288×10−8÷KJの光子がK個で１束に成っている。
光子1個の軌道＝1.233×10−42Jm÷(1.288×10−8÷KJ)＝9.573×10−34m×K
よって、W＋は1.288×10−8÷KJの光子がK個で１束に成り、9.573×10−34m×Kの輪を回転している。
Z0のエネルギーは1.4610×10−8J であり、1.461×10−8÷KJの光子がK個で１束に成っている。
光子1個の軌道＝1.233×10−42Jm÷(1.461×10−8÷KJ)＝8.439×10−34m×K
よって、Z0は1.461×10−8÷KJの光子がK個で１束に成り、8.439×10−34m×Kの輪を回転している。
ヒッグス粒子のエネルギーは2.0075×10−8Jであり、2.0075×10−8÷KJの光子がK個で１束に成っている。
光子1個の軌道＝1.233×10−42Jm÷(2.0075×10−8÷KJ)＝6.142×10−34m×K
よって、ヒッグス粒子は2.0075×10−8÷KJの光子がK個で１束に成り、6.142×10−34m×Kの輪を回転している。
この事を表に示す。
・光速に加速された陽子の中で、光子の1束は一定数です。
1束＝4.34×104個の光子とする場合、1束＝K個の光子とする場合。
表４
2014039360.tif 000005
この事により理解できる事。
1．電子から放出する特性X線のK系α1，2の光子の数は150個であり、一定です。
この事から電子の中の光子は150個で1束に成っていると考えられる。
2．陽子の中の光子も150個以上で1束に成っていると考えられる。
3．光速に加速された陽子から飛び出す光子は4.34×104個集まり束に成っているとする。
W＋は2.968×10−13Jの光子が集まり、Z0は3.366×10−13Jの光子が集まり、ヒッグス粒子は4.626×1013Jの光子が集まっている。
即ち、高エネルギーの素粒子程高エネルギーの光子が集まっている。
即ち、高エネルギーの素粒子程、陽子のラブに近い軌道を回転する光子が集まっている。
私は、高エネルギーの素粒子は高エネルギーの光子の集合体であると考える。
【発明の詳細な説明】
【技術分野】
【０００１】
本発明は、グルーオンのW＋とZ0、ヒッグス粒子に関するものである。
【背景技術】
【０００２】
私は、2012年7月19日に提出した、特願2012−160064において、「グルーオンのW＋とZ0、uクオークとdクオーク、ヒッグス粒子」を記した。
そして、光速に加速された陽子の中において、何がグルーオンのW＋とZ0、uクオークとdクオーク、ヒッグス粒子としてみなされたかを記した。
2012年7月27日に提出した、特願2012−166422において、光速に加速された陽子の中において、1公転でできる磁気の光子は4.34×104個が集合し、1個の磁気の光子に成っている、と記した。
【先行技術文献】
【非特許文献】
【０００３】
【特許文献１】特願2006−336352
【特許文献２】特願2012−160064
【特許文献３】特願2012−166422
【発明の概要】
【発明が解決しようとする課題】
【０００４】
１．陽子のラブが1公転で作る光子が束に成っている場合、どのように回転しているか。
２．どうして、陽子の中の光子は複数個束に成っている事が理解できるか。
３．もし4.34×104公転でできる4.34×104個の光子が1束に成って、グルーオンのW＋とZ0、ヒッグス粒子に成っているとすると、どのように回転しているか。
４．どうして、4.34×104回の公転でできる光子が1束に成って、グルーオンのW＋とZ0、ヒッグス粒子に成っていると考えるか。
５．もしK回の公転でできる光子が1束に成って、グルーオンのW＋とZ0、ヒッグス粒子に成っているとすると、どのように回転しているか。
６．もし、BJの光子がW＋やZ0やヒッグス粒子に成っているとすると、光子の軌道と束の数はいくらか。
７．軌道について。
８．電子のラブと陽子のラブの公転軌道エネルギーは、光子の軌道エネルギーの何倍か。
９．電子のラブと陽子のラブの公転軌道エネルギーは、光子の軌道エネルギーの5.393×1016倍である事は何を意味しているか。
１０．同じ軌道である場合、電子のラブと陽子のラブのエネルギーは光子のエネルギーの5.393×1016倍で、これは、光速2の値です。この事は何を意味するか。
１１．電子のラブと陽子のラブのエネルギーは、1秒間でできる光子でできている場合、1個の光子のエネルギーはいくらで、光子の軌道はいくらか。
１２．電子のラブが1公転でできる光子1個のエネルギーが何個で電子のラブのエネルギーに成るか。
１３．陽子のラブが1公転でできる光子1個のエネルギーが何個で陽子のラブのエネルギーに成るか。
1４．特性X線は、電子の中に存在した光子(X線が)がどのような状態であったかを示す。
１５．束に成っている光子のエネルギーと軌道、及び光子1個のエネルギーと軌道はどのようであるか。
【課題を解決するための手段】
【０００５】
光速に加速された陽子の中において、複数回の公転でできる電磁気が1束に成っている、と考える。
光速に加速された陽子の中において、4.34×104公転でできる電磁気が1束に成っている、と考える。
【発明の効果】
【０００６】
次の事が理解できた。
１．W＋は1.925×10−11J の電気の光子が6.691×102個で1束に成り、6.404×10−31mの輪になり、回転している。
Z0は1.925×10−11J の光子が7.590×102個で1束に成り、6.404×10−31mの輪に成って、回転している。
ヒッグス粒子は1.925×10−11J の光子が1.043×103個で１束に成り、6.404×10−31mの輪に成って、回転している。
２．脱ぎ捨てられた特性X線の数は、K系のα１は100個、α2は50個で、α1，2は150個です。
この事は、電子の外側の光子は束に成って回転していた事を示す。
この事から、陽子の中の光子も束に成って回転している事が理解できる。
３．W＋は2.968×10−13Jの電気の光子が4.34×104個束に成って4.154×10−29mの輪に成って、回転している。
Z0は3.366×10−13Jの電気の光子が4.34×104個束に成って3.663×10−29mの輪に成って、回転している。
ヒッグス粒子は4.626×10−13Jの電気の光子が4.34×104個束に成って2.665×10−29mの輪に成って、回転している。
４．核磁子は、5.0508×10−27J/Tです。これは、陽子のラブが1公転で作った磁気の光子が4.34×104公転分束に成っている。
５．W＋は1.288×10−8÷KJの電気の光子がK個束に成って9.573×10−34m×Kの輪に成って、回転している。
Z0は1.461×10−8÷KJの電気の光子がK個束に成って8.439×10−34m×Kの輪に成って、回転している。
ヒッグス粒子は2.0075×10−8÷KJの電気の光子がK個束に成って6.1420×10−34m×Kの輪に成って、回転している。
６．ヒッグス粒子は2.0075×10−8÷KJの電気の光子がK個束に成って6.1420×10−34m×Kの輪に成って、回転している。
７．電子の中で回転している光子は、電子のラブの自転と公転によりできた物ですから、電子のラブの公転軌道より大きいです。
陽子の中で回転している光子は、陽子のラブの自転と公転によりできた物ですから、陽子のラブの公転軌道より大きいです。
８．電子のラブと陽子のラブの公転軌道エネルギーは、光子の軌道エネルギーの5.393×1016倍です。
９．同じ軌道である場合、電子のラブと陽子のラブのエネルギーは光子のエネルギーの5.393×1016倍です。
１０．電子のラブと陽子のラブは走って、自分のエネルギーの光速2分の1のエネルギーの光子を作る。
これが、電子や陽子のE=mc2に成る理由です。
１１．電子のラブと陽子のラブのエネルギーは、1秒間でできる光子でできていない。
１２．電子のラブが1公転でできる光子1個のエネルギーが7.027×1017個で、電子のラブのエネルギーに成り、その数は1秒間にできる光子数の1.109×102倍です。
１３．陽子のラブが1公転でできる光子1個のエネルギーが7.013×1015個で、陽子のラブのエネルギーに成り、その数は1秒間にできる光子数の2.030×103倍です。
1．陽子の中で、陽子のラブが光子を作っているので、陽子のラブの公転軌道より小さい軌道の光子は存在しない。
2．陽子のラブの公転軌道より小さい軌道の光子に成る場合は、その光子は束に成っている。
3．よって、グルーオンのW＋とZ0、ヒッグス粒子のエネルギーは大きく、その光子の軌道は、光速に加速された陽子の公転軌道より小さい。この事は、光子は束に成っている事を示す。
(私は、7月19日に提出した、特願2012−160064において、W+の軌道は、9.5722×10−34m、Z0の軌道は、8.4394×10−34m、ヒッグス粒子の軌道は、6.142×10−34mです、と記した。これは誤りです。光速に加速された陽子のラブの公転軌道は6.404×10−31mです。それで、素粒子は光子の束に成っている。)
4．陽子の中の光子の軌道は外側に成る程軌道は大きくなり、エネルギーは少なく成っている。
6．それで、陽子の中の光子の数は7.013×1015個以上です。
7．陽子の中の光子の数は1秒間にできる光子の2.030×103倍以上です。
8．陽子の中の光子は、束に成って存在する。
9．陽子のラブの公転軌道に近い光子ほど、軌道の間隔は小さいので、引力は強く働く。
10．陽子のラブの公転軌道に近い光子ほど、軌道は小さいので、エネルギーは大きく、磁気の光子のエネルギーも大きく、引力は強く働く。
11．それで、陽子のラブの公転軌道に近い光子ほど、１束の光子の数は多く成っている。
12．光速に加速された陽子の中の光子も、陽子のラブの公転軌道に近い光子ほど、１束の光子の数は多く成っている。
１４．L系のα1は、M殻に存在していた電子の中の光子は100個まとまって存在していた事を示す。
1．電子の中で、光子は150〜100個束に成って存在するのであるから、その1836倍のエネルギーの場である陽子の中では、光子の束は150〜100個以上である。
2．光速に加速された陽子の中では、150〜100個以上の光子が束に成っている。
3．1束の光子数をK個とする場合。
4．1束の光子数を4.34×104個とする場合。
１５．a.1束＝4.34×104個の光子、とする場合。
核磁子は1.1638×10−31Jの光子が4.34×104個集まり束に成り、1.059×10−10mの輪を回転している。
b.1束＝K個の光子とする場合。
高エネルギーの素粒子程高エネルギーの光子が集まっている。
高エネルギーの素粒子程、陽子のラブに近い軌道を回転する光子が集まっている。
私は、高エネルギーの素粒子は高エネルギーの光子の集合体であると考える。
【図面の簡単な説明】
【０００７】
【図１】図1は、W＋が1個である場合と、4.34×104個の光子が1束に成っている場合と、K個の光子が1束に成っている場合を図示する。W＋のエネルギーは1.288×10−8Jで、これが1個の電気の光子でできている場合、光子の軌道は9.5722×10−34mです。W＋は1.288×10−8Jの電気の光子で、9.5722×10−34mの輪で回転している。W＋は光子4.34×104個の電気の光子の束であるとすると、電気の光子1個のエネルギーは2.968×10−13Jで、軌道は4.154×10−29mです。W＋は2.968×10−13Jの電気の光子が4.34×104個束に成って4.154×10−29mの輪に成って、回転している。W＋は光子K個の電気の光子の束であるとすると、電気の光子1個のエネルギーは1.288×10−8÷KJで、軌道は9.573×10−34m×K です。W＋は1.288×10−8÷KJの電気の光子がK個１束に成って9.573×10−34m×Kの輪に成って、回転している。
【図２】図２は、Z0が1個である場合と、4.34×104個の光子が1束に成っている場合と、K個の光子が1束に成っている場合を図示する。Z0は1.4610×10−8Jの光子で、これが1個の光子でできている場合、光子の軌道は8.4394×10−34mです。Z0は1.4610×10−8Jの光子で、8.4394×10−34mの輪で回転している。Z0は光子4.34×104個の光子の束であるとすると、光子1個のエネルギーは3.366×10−13Jで、軌道は3.663×10−29m です。Z0は3.366×10−13Jの電気の光子が4.34×104個束に成って3.663×10−29mの輪に成って、回転している。Z0は光子K個の光子の束であるとすると、光子1個のエネルギーは1.461×10−8÷KJで、軌道は8.439×10−34m×K です。Z0は1.461×10−8÷KJの電気の光子がK個１束に成って8.439×10−34m×Kの輪に成って、回転している。
【図３】図３は、ヒッグス粒子が1個である場合と、4.34×104個の光子が1束に成っている場合と、K個の光子が1束に成っている場合を図示する。１  ヒッグス粒子は2.0075×10−8Jの磁気の光子で、これが1個の磁気の光子でできている場合、光子の軌道は6.142×10−34mです。ヒッグス粒子は2.0075×10−8Jの磁気の光子で、軌道は6.142×10−34mの輪で回転している。ヒッグス粒子は光子4.34×104個の磁気の光子の束であるとすると、磁気の光子1個のエネルギーは4.626×10−13Jで、軌道は2.665×10−29m です。ヒッグス粒子は4.626×10−13Jの電気の光子が4.34×104個束に成って2.665×10−29mの輪に成って、回転している。ヒッグス粒子は光子K個の磁気の光子の束であるとすると、磁気の光子1個のエネルギーは2.0075×10−8÷KJで、軌道は6.142×10−34m×K です。ヒッグス粒子は、2.0075×10−8÷KJの磁気の光子がK個1束に成って、6.142×10−34m×Kの輪で回転している。
【発明を実施するための形態】
【０００８】
１．    陽子のラブが1公転で作る光子が束に成っている場合、どのように回転しているか。
・W＋は、1.2881×10−8Jで、陽子のラブが1公転で作る光子が、6.691×102個束に成っている場合。
陽子のラブが1公転で作る電気の光子の軌道は、陽子のラブの公転軌道です。
陽子のラブの公転軌道＝8.665×10−24Jm÷(陽子のラブのエネルギー×9×1016)＝8.665×10−24Jm÷(1.5033×10−10J×9×1016)＝8.665×10−24Jm÷(1.353×107J)＝6.404×10−31m。
陽子のラブの公転軌道は6.404×10−31mです。それで、電気の光子の軌道は、6.404×10−31mです。
電気の光子1個のエネルギーは、光子の軌道エネルギー÷光子の軌道＝1.233×10−41Jm÷(6.404×10−31m)＝1.925×10−11J、です。
W＋のエネルギー÷電気の光子1個のエネルギー＝1.288×10−8J÷(1.925×10−11J)＝6.691×102個
それで、電気の光子6.691×102個が束に成っている。
束の電気の光子の回転軌道は、6.404×10−31mです。
W＋は1.925×10−11J の電気の光子が6.691×102個で1束に成り、6.404×10−31mの輪で回転している。
・Z0は、1.461×10−8Jで、陽子のラブが1公転で作る光子が、7.590×102個束に成っている場合。
束の電気の光子の回転軌道は、6.404×10−31mです。
Z0は1.925×10−11J の光子が7.590×102個で1束に成り、6.404×10−31mの輪で回転している。
・ヒッグス粒子は、2.0075×10−8Jで、陽子のラブが1公転で作る光子が、1.043×103個束に成っている場合。
束の電気の光子の回転軌道は、6.404×10−31mです。
ヒッグス粒子は1.925×10−11J の光子が1.043×103個で１束に成り、6.404×10−31mの輪で回転している。
２．    どうして、陽子の中の光子は複数個束に成っている事が理解できるか。
特性X線は、電子がL殻からK殻に移動するとき、電子の外側の光子を脱ぎ捨てて、高エネルギーのK殻の軌道に移動する。
K殻には特性X線として脱ぎ捨てたエネルギーの場が無いからです。
脱ぎ捨てられた特性X線の数は、K系のα１は100個、α2は50個で、α1，2は150個です。
この事は、電子の外側の光子は束に成って回転していた事を示す。
この事から、陽子の中の光子も束に成って回転している事が理解できる。
よって、陽子の中の光子は複数個束に成って回転している。
陽子のラブは自転しながら公転しているので、できる光子は電磁気(電気の光子と磁気の光子)として存在している。
磁気の光子が互いに引き合い、束を作っている。
３．    もし4.34×104公転でできる4.34×104個の光子が1束に成って、グルーオンのW＋とZ0、ヒッグス粒子に成っているとすると、どのように回転しているか。
W＋の場合。
1個の電気の光子のエネルギー＝W＋のエネルギー÷(4.34×104個)＝1.288×10−8J÷(4.34×104個)＝2.968×10−13J
1個の電気の光子の軌道＝光子の軌道エネルギー÷光子のエネルギー＝1.233×10−41Jm÷(2.968×10−13J)＝4.154×10−29m
よって、W＋は2.968×10−13Jの電気の光子が4.34×104個束に成って4.154×10−29mの輪で回転している。
Z0の場合。
1個の電気の光子のエネルギー＝Z0のエネルギー÷(4.34×104個)＝1.461×10−8J÷(4.34×104個)＝3.366×10−13J
1個の電気の光子の軌道＝光子の軌道エネルギー÷光子のエネルギー＝1.233×10−41Jm÷(3.366×10−13J)＝3.663×10−29m
よって、Z0は3.366×10−13Jの電気の光子が4.34×104個束に成って3.663×10−29mの輪で回転している。
ヒッグス粒子の場合。
1個の電気の光子のエネルギー＝ヒッグス粒子のエネルギー÷(4.34×104個)＝2.0075×10−8J÷(4.34×104個)＝4.626×10−13J
1個の電気の光子の軌道＝光子の軌道エネルギー÷光子のエネルギー＝1.233×10−41Jm÷(4.626×10−13J)＝2.665×10−29m
よって、ヒッグス粒子は4.626×10−13Jの電気の光子が4.34×104個束に成って2.665×10−29mの輪で回転している。
４．    どうして、4.34×104回の公転でできる光子が1束に成って、グルーオンのW＋とZ0、ヒッグス粒子に成っていると考えるか。
核磁子は、5.0508×10−27J/Tです。これは、陽子のラブが1公転で作った磁気の光子が4.34×104公転分束に成っている。
それで、1公転でできる磁気の光子のエネルギーは、5.0508×10−27J/T÷(4.34×104公転)＝1.16378×10−31J
この光子の軌道は、1.233×10−41Jm÷(1.16378×10−31J)＝1.0595×10−10m、です。
核磁子は、陽子のラブが作った電気の光子(磁気の光子)が1836倍に拡大したものです。
それで、光速に加速した陽子が爆発した時、外に出る光子は4.34×104個束に成っていると考える。
５．    もしK回の公転でできる光子が1束に成って、グルーオンのW＋とZ0、ヒッグス粒子に成っているとすると、どのように回転しているか。
W＋の場合。
1個の電気の光子のエネルギー＝W＋のエネルギー÷K＝1.288×10−8J÷K
1個の電気の光子の軌道＝光子の軌道エネルギー÷光子のエネルギー＝1.233×10−41Jm÷(1.288×10−8J÷K)＝9.573×10−34m×K
よって、W＋は1.288×10−8÷KJの電気の光子がK個束に成って9.573×10−34m×Kの輪で回転している。
Z0の場合。
1個の電気の光子のエネルギー＝Z0のエネルギー÷K＝1.461×10−8J÷K
1個の電気の光子の軌道＝光子の軌道エネルギー÷光子のエネルギー＝1.233×10−41Jm÷(1.461×10−8J÷K)＝8.439×10−34m×K
よって、Z0は1.461×10−8÷KJの電気の光子がK個束に成って8.439×10−34m×Kの輪で回転している。
ヒッグス粒子の場合。
1個の磁気の光子のエネルギー＝ヒッグス粒子のエネルギー÷K＝2.0075×10−8J÷K 
1個の磁気の光子の軌道＝光子の軌道エネルギー÷光子のエネルギー＝1.233×10−41Jm÷(2.0075×10−8J÷K)＝6.1420×10−34m×K
よって、ヒッグス粒子は2.0075×10−8÷KJの光子がK個束に成って6.1420×10−34m×Kの輪で回転している。
６．    もし、BJの光子がW＋やZ0やヒッグス粒子に成っているとすると、光子の軌道と束の数はいくらか。
W＋の場合。
束の数＝W＋のエネルギー÷BJ＝1.2881×10−8J÷BJ
光子の軌道＝1.233×10−41Jm÷BJ
Z0の場合。
束の数＝Z0のエネルギー÷BJ＝1.4610×10−8J÷BJ
光子の軌道＝1.233×10−41Jm÷BJ
ヒッグス粒子の場合。
束の数＝ヒッグス粒子のエネルギー÷BJ＝2.0075×10−8J÷BJ
光子の軌道＝1.233×10−41Jm÷BJ
もし、BJの光子がW＋やZ0やヒッグス粒子に成っているとすると、光子の軌道は1.233×10−41Jm÷BJで、束の数は粒子のエネルギー÷BJ、です。
この事を表に示す。
表1
2014039360.tif 000002
７．    軌道について。
軌道とは、回転する円周の直径の事です。
電子のラブは電子のラブが持っているエネルギーに従って軌道を回転する。1秒間に(7.96×107)2回公転する。
回転方向はランダムです。電子のラブの軌道＝8.665×10−24Jm÷電子のラブのエネルギー、です。
陽子のラブは陽子のラブが持っているエネルギーに従って軌道を回転する。1秒間に4.34×104×7.96×107回公転する。
回転方向はランダムです。陽子のラブの軌道＝8.665×10−24Jm÷陽子のラブのエネルギー、です。
光子は、電子の中で回転している。光子は、陽子の中で回転している。
光子が持っているエネルギーに従って軌道を回転する。回転方向はランダムです。
光子の軌道＝1.233×10−41Jm÷光子のエネルギー、です。
電子の中で回転している光子は、電子のラブの自転と公転によりできた物ですから、電子のラブの公転軌道より大きいです。
陽子の中で回転している光子は、陽子のラブの自転と公転によりできた物ですから、陽子のラブの公転軌道より大きいです。
８．    電子のラブと陽子のラブの公転軌道エネルギーは、光子の軌道エネルギーの何倍か。
電子のラブと陽子のラブの公転軌道エネルギー÷光子の軌道エネルギー＝8.665×10−24Jm÷(1.233×10−41Jm)＝5.393×1016
電子のラブと陽子のラブの公転軌道エネルギーは、光子の軌道エネルギーの5.393×1016倍です。
９．    電子のラブと陽子のラブの公転軌道エネルギーは、光子の軌道エネルギーの5.393×1016倍である事は何を意味しているか。
光子の軌道エネルギーの5.393×1016倍が電子のラブと陽子のラブの公転軌道エネルギーです。
同じ軌道である場合、電子のラブと陽子のラブのエネルギーは光子のエネルギーの5.393×1016倍です。
同じ軌道である場合、光子のエネルギーは電子のラブと陽子のラブのエネルギーの5.393×1016分の1です。
電子のラブと陽子のラブのエネルギーは5.393×1016個分の光子のエネルギーです。
電子のラブと陽子のラブのエネルギーは5.393×1016個の光子でできています。
これは、約1秒間にできる光子の数です。(7.96×107)2＝6.336×1015個です。
これは、光速2の値です。光速2＝9×1016
電子のラブと陽子のラブのエネルギーは、約1秒間でできる光子でできている。
１０．    同じ軌道である場合、電子のラブと陽子のラブのエネルギーは光子のエネルギーの5.393×1016倍で、これは、光速2の値です。この事は何を意味するか。
電子のラブと陽子のラブは走って、自分のエネルギーの光速2分の1のエネルギーの光子を作る。
これが、電子や陽子のE=mc2に成る理由です。
１１．    電子のラブと陽子のラブのエネルギーは、1秒間でできる光子でできている場合、1個の光子のエネルギーはいくらで、光子の軌道はいくらか。
電子の場合．
1個の光子のエネルギーは、電子のラブのエネルギー÷1秒間でできる光子数＝8.187×10−14J÷(6.336×1015個)＝1.292×10−29J、です。
この光子の軌道は、光子の軌道エネルギー÷光子のエネルギー＝1.233×10−41Jm÷(1.292×10−29J)＝9.543 ×1013m、です。
この光子の軌道は電子のラブの軌道(1.058×10−10m)より小さいので、この考えは違います。
陽子の場合。
1個の光子のエネルギーは、陽子のラブのエネルギー÷1秒間でできる光子数＝1.5×10−10J÷(4.34×104×7.96×107個)＝4.342×10−23J、です。
この光子の軌道は、光子の軌道エネルギー÷光子のエネルギー＝1.233×10−41Jm÷(4.342×10−23J)＝2.840×10−19m、です。
この光子の軌道は陽子のラブの軌道(5.764×10−14m)より小さいので、この考えは違います。
よって、電子のラブと陽子のラブのエネルギーは、1秒間でできる光子でできていない。
１２．    電子のラブが1公転でできる光子1個のエネルギーが何個で電子のラブのエネルギーに成るか。
電子のラブが1公転で作る光子1個のエネルギー＝光子の軌道エネルギー÷電子のラブの公転軌道＝1.233×10−41Jm÷(1.058×10-10m)  ＝1.165×10-31J
電子のラブのエネルギー÷電子のラブが1公転で作る光子1個のエネルギー＝8.187×10-14J÷(1.165×10-31J)  ＝7.027×1017(個)
電子のラブが1公転でできる光子1個のエネルギーが7.027×1017個で、電子のラブのエネルギーに成る。
・これは1秒間の公転数の何倍か。
7.027×1017個÷(7.96×107)2個＝1.109×102(倍)
これは1秒間の公転数の1.109×102倍です。
よって、電子のラブが1公転でできる光子1個のエネルギーが7.027×1017個で、電子のラブのエネルギーに成り、その数は1秒間にできる光子数の1.109×102倍です。
１３．    陽子のラブが1公転でできる光子1個のエネルギーが何個で陽子のラブのエネルギーに成るか。
陽子のラブが1公転で作る光子1個のエネルギー＝光子の軌道エネルギー÷陽子のラブの公転軌道＝1.233×10−41Jm÷(5.764×10-14m)  ＝2.139×10-28J
陽子のラブのエネルギー÷陽子のラブが1公転で作る光子1個のエネルギー＝1.5×10-10J÷(2.139×10-28J)  ＝7.013×1015(個)
陽子のラブが1公転でできる光子1個のエネルギーが7.013×1015個で、電子のラブのエネルギーに成る。
・これは1秒間の公転数の何倍か。
7.013×1015個÷(4.34×104×7.96×107個)＝2.030×103(倍)
よって、陽子のラブが1公転でできる光子1個のエネルギーが7.013×1015個で、陽子のラブのエネルギーに成り、その数は1秒間にできる光子数の2.030×103倍です。
この事によって理解できる事。
1．陽子の中で、陽子のラブが光子を作っているので、陽子のラブの公転軌道より小さい軌道の光子は存在しない。
2．陽子のラブの公転軌道より小さい軌道の光子に成る場合は、その光子は束に成っている。
3．よって、グルーオンのW＋とZ0、ヒッグス粒子のエネルギーは大きく、その光子の軌道は、光速に加速された陽子の公転軌道より小さい。この事は、光子は束に成っている事を示す。
(私は、7月19日に提出した、特願2012−160064において、W+の軌道は、9.5722×10−34m、Z0の軌道は、8.4394×10−34m、ヒッグス粒子の軌道は、6.142×10−34mです、と記した。これは誤りです。光速に加速された陽子のラブの公転軌道は6.404×10−31mです。それで、素粒子は光子の束に成っている。)
4．陽子の中の光子の軌道は外側に成る程軌道は大きくなり、エネルギーは少なく成っている。
6．それで、陽子の中の光子の数は7.013×1015個以上です。
7．陽子の中の光子の数は1秒間にできる光子の2.030×103倍以上です。
8．陽子の中の光子は、束に成って存在する。
9．陽子のラブの公転軌道に近い光子ほど、軌道の間隔は小さいので、引力は強く働く。
10．陽子のラブの公転軌道に近い光子ほど、軌道は小さいので、エネルギーは大きく、磁気の光子のエネルギーも大きく、引力は強く働く。
11．それで、陽子のラブの公転軌道に近い光子ほど、１束の光子の数は多く成っている。
12．光速に加速された陽子の中の光子も、陽子のラブの公転軌道に近い光子ほど、１束の光子の数は多く成っている。
1４．    特性X線は、電子の中に存在した光子(X線が)がどのような状態であったかを示す。
即ち、K系のα1，2は、L殻に存在していた電子の中の光子は150個まとまって存在していた事を示す。
L系のα1は、M殻に存在していた電子の中の光子は100個まとまって存在していた事を示す。
このように、電子の中で、光子は150〜100個束に成って存在する。
この事によって理解できる事。
1．電子の中で、光子は150〜100個束に成って存在するのであるから、その1836倍のエネルギーの場である陽子の中では、光子の束は150〜100個以上である。
2．光速に加速された陽子の中では、150〜100個以上の光子が束に成っている。
W＋のエネルギーは1.2881×10−8Jであり、 1.925×10−11J の光子が6.691×102個束に成っている。
Z0のエネルギーは1.4610×10−8J であり、1.925×10−11J の光子が7.590×102個束に成っている。
ヒッグス粒子のエネルギーは2.0075×10−8Jであり、1.925×10−11J の光子が1.043×103個束に成っている。
3．1束の光子数をK個とする場合。
W＋のエネルギーは1.2881×10−8Jであり、1.288×10−8÷KJの光子がK個で１束に成っている。
Z0のエネルギーは1.4610×10−8J であり、1.461×10−8÷KJの光子がK個で１束に成っている。
ヒッグス粒子のエネルギーは2.0075×10−8Jであり、2.0075×10−8÷KJの光子がK個で１束に成っている。
4．1束の光子数を4.34×104個とする場合。
グルーオンのW＋のエネルギーは1.2881×10−8Jであり、これは、4.34×104個の光子が束に成った物であるとすると、2.968×10−13Jの光子が束に成った物です。
Z0のエネルギーは1.4610×10−8J であり、これは、4.34×104個の光子が束に成った物であるとすると、3.366×10−13Jの光子が束に成った物です。
ヒッグス粒子のエネルギーは2.0075×10−8Jであり、これは、4.34×104個の光子が束に成った物であるとすると、4.626×10−13Jの光子が束に成った物です。
１５．    束に成っている光子のエネルギーと軌道、及び光子1個のエネルギーと軌道はどのようであるか。
a.1束＝4.34×104個の光子、とする場合。
核磁子の場合。
核磁子は、4.34×104個の光子が束に成っているエネルギーです。
そのエネルギーは、5.0508×10−27J/Tです。この軌道は、1.233×10−41Jm÷(5.0508×10−27J)＝2.441×10−15mです。
核磁子に成っている内の光子1個のエネルギーは、5.0508×10−27J÷(4.34×104個)＝1.1638×10−31J、です。
光子1個の軌道は、1.233×10−41Jm÷(1.1638×10−31J)＝1.059×10−10m、です。
よって、核磁子は1.1638×10−31Jの光子が4.34×104個集まり束に成り、1.059×10−10mの輪を回転している。
W＋の場合。
W＋のエネルギーは、1.288×10−8Jです。この光子の軌道は、1.233×10−41Jm÷(1.288×10−8J)＝9.5722×10−34m、です。
W＋の内の光子1個のエネルギー＝1.288×10−8J÷(4.34×104個)＝2.968×10−13J。
この光子の軌道は、1.233×10−41Jm÷(2.968×10−13J)＝4.154×10−29m。
よって、W＋は2.968×10−13Jの光子が4.34×104個集まり束に成り、4.154×10−29mの輪を回転している。
Z0の場合。
Z0のエネルギーは、1.4610×10−8Jです。この光子の軌道は、1.233×10−41Jm÷(1.4610×10−8J)＝8.4394×10−34m、です。
Z0の内の光子1個のエネルギー＝1.4610×10−8J÷(4.34×104個)＝3.366×10−13J。
この光子の軌道は、1.233×10−41Jm÷(3.366×10−13J)＝3.663×10−29m。
よって、Z0は3.366×10−13Jの光子が4.34×104個集まり束に成り、3.663×10−29mの輪を回転している。
ヒッグス粒子の場合。
ヒッグス粒子のエネルギーは、2.0075×10−8Jです。この光子の軌道は、1.233×10−41Jm÷(2.0075×10−8J)＝6.142×10−34m、です。
ヒッグス粒子の内の光子1個のエネルギー＝2.0075×10−8J÷(4.34×104個)＝4.626×10−13J。
この光子の軌道は、1.233×10−41Jm÷(4.626×10−13J)＝2.665×10−29m。
よって、ヒッグス粒子は4.626×10−13Jの光子が4.34×104個集まり束に成り、2.665×10−29mの輪を回転している。
b.1束＝K個の光子とする場合。
W＋のエネルギーは1.2881×10−8Jであり、1.288×10−8÷KJの光子がK個で１束に成っている。
光子1個の軌道＝1.233×10−42Jm÷(1.288×10−8÷KJ)＝9.573×10−34m×K
よって、W＋は1.288×10−8÷KJの光子がK個で１束に成り、9.573×10−34m×Kの輪を回転している。
Z0のエネルギーは1.4610×10−8J であり、1.461×10−8÷KJの光子がK個で１束に成っている。
光子1個の軌道＝1.233×10−42Jm÷(1.461×10−8÷KJ)＝8.439×10−34m×K
よって、Z0は1.461×10−8÷KJの光子がK個で１束に成り、8.439×10−34m×Kの輪を回転している。
ヒッグス粒子のエネルギーは2.0075×10−8Jであり、2.0075×10−8÷KJの光子がK個で１束に成っている。
光子1個の軌道＝1.233×10−42Jm÷(2.0075×10−8÷KJ)＝6.142×10−34m×K
よって、ヒッグス粒子は2.0075×10−8÷KJの光子がK個で１束に成り、6.142×10−34m×Kの輪を回転している。
この事を表に示す。
・光速に加速された陽子の中で、光子の1束は一定数です。
1束＝4.34×104個の光子とする場合、1束＝K個の光子とする場合。
表2
2014039360.tif 000003
この事により理解できる事。
1．電子から放出する特性X線のK系α1，2の光子の数は150個であり、一定です。
この事から電子の中の光子は150個で1束に成っていると考えられる。
2．陽子の中の光子も150個以上で1束に成っていると考えられる。
3．光速に加速された陽子から飛び出す光子は4.34×104個集まり束に成っているとする。
W＋は2.968×10−13Jの光子が集まり、Z0は3.366×10−13Jの光子が集まり、ヒッグス粒子は4.626×1013Jの光子が集まっている。
即ち、高エネルギーの素粒子程高エネルギーの光子が集まっている。
即ち、高エネルギーの素粒子程、陽子のラブに近い軌道を回転する光子が集まっている。
私は、高エネルギーの素粒子は高エネルギーの光子の集合体であると考える。
【産業上の利用可能性】
【０００９】
素粒子の状態を追求する事は科学の発展になり、科学の発展は産業の発展になる。
【符号の説明】
【００１０】
１  W＋は1.288×10−8Jの電気の光子
２  W＋で、1.288×10−8Jの電気の光子の軌道は9.5722×10−34m
３  W＋は光子4.34×104個の電気の光子の束であるとすると、電気の光子1個のエネルギーは2.968×10−13J
４  W＋は光子4.34×104個の電気の光子の束であるとすると、光子の軌道は4.154×10−29mです。
５  W＋は、2.968×10−13Jの電気の光子が4.34×104個1束に成って、4.154×10−29mの輪で回転している。
６  W＋は光子K個の電気の光子の束であるとすると、電気の光子1個のエネルギーは1.288×10−8÷KJ 
７  W＋は光子K個の電気の光子の束であるとすると、電気の光子の軌道は9.573×10−34m×K です。
８  W＋は、1.288×10−8÷KJの電気の光子がK個1束に成って、9.573×10−34m×Kの輪で回転している。
９  Z0は1.4610×10−8Jの光子
１０  Z0で、1.4610×10−8Jの光子の軌道は8.4394×10−34m 
１１  Z0は光子4.34×104個の光子の束であるとすると、光子1個のエネルギーは3.366×10−13J 
１２  Z0は光子4.34×104個の光子の束であるとすると、光子の軌道は3.663×10−29m です。
１３  Z0は、3.366×10−13Jの光子が4.34×104個1束に成って、3.663×10−29mの輪で回転している。
１４  Z0は光子K個の光子の束であるとすると、光子1個のエネルギーは1.461×10−8÷KJ  
１５  Z0は光子K個の光子の束であるとすると、光子の軌道は8.439×10−34m×K です。
１６  Z0は、1.4610×10−8÷KJの光子がK個1束に成って、8.439×10−34m×Kの輪で回転している。
１７  ヒッグス粒子は2.0075×10−8Jの磁気の光子
１８  ヒッグス粒子は、2.0075×10−8Jの磁気の光子で軌道は6.142×10−34m  
１９  ヒッグス粒子は光子4.34×104個の磁気の光子の束であるとすると、磁気の光子1個のエネルギーは4.626×10−13J 
２０  ヒッグス粒子は光子4.34×104個の磁気の光子の束であるとすると、磁気の光子の軌道は2.665×10−29m です。
２１  ヒッグス粒子は、4.626×10−13Jの磁気の光子が4.34×104個1束に成って、2.665×10−29mの輪で回転している。
２２  ヒッグス粒子は光子K個の磁気の光子の束であるとすると、磁気の光子1個のエネルギーは2.0075×10−8÷KJ  
２３  ヒッグス粒子は光子K個の磁気の光子の束であるとすると、磁気の光子の軌道は6.142×10−34m×K です。
２４  ヒッグス粒子は、2.0075×10−8÷KJの磁気の光子がK個1束に成って、6.142×10−34m×Kの輪で回転している。
【図１】
2014039360.tif 000006
【図２】
2014039360.tif 000007
【図３】
2014039360.tif 000008